(57)【要約】  【課題】  水の蒸発量を減らし、水の補充回数を抑えることができ、また水の流れに変化を与えて視覚を刺激でき、流れ落ちるときの音で聴覚を刺激でき、更にはマイナスイオンの発生率を高め、水に香料を混入したときは芳香の発散を促進できるようにする。  【解決手段】  ポンプ１を収納する基台２と、この基台２に起立状に設ける本体部３とで形成する。ポンプ１は、本体部３の上部に揚水し、上部から流下する水を循環させる。本体部３を、透光材で筒形に形成する。この本体部３内に、上部から流下する水を二手に分岐して通す透光性の略菱形状の導水部材５を収納する。この導水部材５の二股状の上部通水路５ａに、開口部５２を形成する。この上部通水路５ａに連通する逆二股状の下部通水路５ｂ内に、流下する水を衝突させるための突き出し片５３を設ける。本体部３内と外部とを連通自在に形成する。  【選択図】      図１
2008023499.tif 000002
【特許請求の範囲】
【請求項１】
ポンプを収納する基台と、この基台に起立状に設けられている本体部とで形成され、上記のポンプで本体部の上部に揚水し、上部から流下する水を循環させる形式の室内用の噴水装置であって、上記の本体部が、透光材で筒形に形成され、この本体部内に、上部から流下する水を二手に分岐して通す透光性の略菱形状の導水部材が収納され、この導水部材の二股状の上部通水路に開口部が形成され、この上部通水路に連通する逆二股状の下部通水路内に、流下する水を衝突させるための突き出し片が設けられ、上記の本体部内と外部とが連通自在に形成されていることを特徴とする室内用の噴水装置。
【請求項２】
請求項１記載の室内用の噴水装置であって、導水部材が縦方向に複数連通状に接続されていることを特徴とする室内用の噴水装置。
【請求項３】
請求項１又は２記載の室内用の噴水装置であって、本体部の軸芯位置に揚水管が垂直状に設けられ、この揚水管の周りに等間隔をあけて導水部材が配置されていることを特徴とする室内用の噴水装置。
【請求項４】
請求項１乃至３の何れかに記載の室内用の噴水装置であって、導水部材が、開口部と突き出し片を、略菱形状を呈する正面から見て左右対称状に備えて形成されていることを特徴とする室内用の噴水装置。
【請求項５】
請求項１乃至４の何れかに記載の室内用の噴水装置であって、光線を上方に照射する光源を備えて形成されていることを特徴とする室内用の噴水装置。
【発明の詳細な説明】
【技術分野】
【０００１】
本発明は室内用の噴水装置に関し、更に詳しくは人間の視覚や聴覚等を効果的に刺激し、置物としての商品価値が高くなるよう形成した室内用の噴水装置に関するものである。
【背景技術】
【０００２】
従来この種の噴水装置としては、例えば容器内の底にポンプを設け、このポンプで水を循環し、水の動きや流下するときの音で視覚や聴覚を刺激し、またアロマテラピーなどの精神安定作用のある香料の芳香作用で嗅覚を刺激し、癒し効果等を得られるように形成しているものがある（例えば特許文献１参照）。
【０００３】
ところで従来品は、開放空間で水を噴射し、ポンプで水を循環する構造であった。従って従来品によると、水の蒸発量が多くなるのを避けられず、度々水を補充する必要があった。
また従来品は、噴出口を周囲に配置し、この噴出口から中心部の上方に向けて噴水する構造であった。従って従来品を使用すると、水の落下時の音が、例えばピチャピチャと耳障りに生じ、水の噴出量を減らすと、噴水受け器の外周面を静かに伝わり落ちるだけで、聴覚を心地良く刺激するような、せせらぎ音を得られなかった。
また従来品は、噴水受け器の周縁から水が流れ落ちる構造であったから、従来品によると、水が流下するときのマイナスイオンの発生や、水に香料を混入したときの芳香の発散を高く望めなかった。
【特許文献１】特開２００４−１７０３８号公報
【発明の開示】
【発明が解決しようとする課題】
【０００４】
本発明は、このような従来技術の問題点に鑑み、提案されたものである。
従って本発明の解決しようとする技術的課題は、水の蒸発量を減らし、水の補充回数を抑えることができ、また水の流れに変化を与えて視覚を刺激でき、流れ落ちるときの音で聴覚を刺激でき、更にはマイナスイオンの発生率を高め、水に香料を混入したときは芳香の発散を促進できるよう形成した室内用の噴水装置を提供することにある。
【課題を解決するための手段】
【０００５】
本発明は、上記の課題を解決するため、次のような技術的手段を採る。
即ち本発明は、図１等に示されるように、ポンプ１を収納する基台２と、この基台２に起立状に設けられている本体部３とで形成され、上記のポンプ１で本体部３の上部に揚水し、上部から流下する水を循環させる形式の室内用の噴水装置であって、上記の本体部３が、透光材で筒形に形成され、この本体部３内に、上部から流下する水を二手に分岐して通す透光性の略菱形状の導水部材５が収納され、この導水部材５の二股状の上部通水路５ａに開口部５２が形成され、この上部通水路５ａに連通する逆二股状の下部通水路５ｂ内に、流下する水を衝突させるための突き出し片５３が設けられ、上記の本体部３内と外部とが連通自在に形成されていることを特徴とする（請求項１）。
【０００６】
本発明の場合、本体部３は、通常、プラスチックで円筒形に形成されるが、透光質で且つ筒形であれば、ガラス等の透光材で、例えば四角形や五角形等の多角形状に形成されるのでも良い。またここで、略菱形状とは、導水部材５は、その四辺の長さが等しい場合には限られない、ということを意味する。またここで、本体部３内と外部とが連通自在に形成されている、とは、本体部３内で発生する音や香り、マイナスイオンが外部（室内）に伝わり易くなるよう、本体部３の一部が開放するよう形成されている、ということを意味する。具体的には、例えば手動操作で本体部３の特定部位を開口したり、或いは本体部３の特定部位（例えば天頂部など）が予め開口状に形成されることで達成される。またここで、開口部５２は、流下する水が導水部材５の外に流れ出ない構造であれば良く、従って開口部５２の孔形状、個数、向き（形成角度）は任意である。また突き出し片５３は、水に混合する香料の成分と空気との混合度合を高めて香りの発散やマイナスイオンの発生を促進したり、流下する水を変化させて視覚効果を高めたり、またせせらぎのような擬音を生じさせるためのものであり、その個数、出っ張り寸法、形成角度は、適宜選定されるので良い。
【０００７】
而して本発明は、導水部材５が縦方向に複数連通状に接続されているのが好ましい（請求項２）。
なぜならこれによると、流下する水が上下方向に多段状に接続された導水部材５で、外側に広がったり、内側にすぼまりながら蛇行して流れ、視覚効果と共に、せせらぎのような音による聴覚効果を、一層、高めることができるからである。またこれによると、水と突き出し片５３との衝突回数が増加し、マイナスイオンの発生量等を増やすことができるからである。
【０００８】
また本発明は、本体部３の軸芯位置に揚水管３１が垂直状に設けられ、この揚水管３１の周りに等間隔をあけて導水部材５が配置されているのが好ましい（請求項３）。
なぜならこれによると、本体部３の周りの、どこからでも水の流下現象を見ることができ、置物としての商品価値を高めることができるからである。
【０００９】
また本発明は、導水部材５が、開口部５２と突き出し片５３を、略菱形状を呈する正面から見て左右対称状に備えて形成されているのが好ましい（請求項４）。
なぜならこれによると、せせらぎ音やマイナスイオン等を、導水部材５の左右でバランス良く発生させることができるからである。
【００１０】
また本発明は、光線を上方に照射する光源７を備えて形成されているのが好ましい（請求項５）。
なぜならこれによると、光源７の光が水の流れを映し出し、見る者の美感を刺激し、視覚効果を、一層、高めることができるからである。ここで、光源７としては、例えば発光ダイオード等の点光源や、蛍光管等の棒状光源、或いは面状の光源等がある。なおこの場合、本発明は、例えば赤色、青色、緑色、黄色等の異なる光を照射できるよう、発光色の異なる光源７を複数備えて構成されるのが好ましいが、これに限定されるものではない。
【発明の効果】
【００１１】
本発明は、このように導水部材内を水が流れるため、水の蒸発量を低減でき、水の補充回数を抑えることができる。
また水が導水部材内を蛇行して流れるため、本発明によれば、視覚的な面白味が生じ、またせせらぎのような擬音が発生し、聴覚を心地良く刺激できる。
また本発明は、流下する水が突き出し片に衝突して飛散するため、マイナスイオンが発生し易くなる。従ってこれによれば、マイナスイオンにより森林浴効果を得ることができ、また水に香料を混入すれば、芳香の発散を促進できる。
【発明を実施するための最良の形態】
【００１２】
以下、本発明を実施するための最良の形態を説明する。
本発明は、図１等に示されるように、ポンプ１を収納する基台２と、この基台２に起立状に設けられている本体部３とで形成されている。ポンプ１は、収納ユニット４（図１、図２、図１０参照）に納められ、収納ユニット４は基台２に収納されている。基台２は、水を収納するタンクとして機能するよう容器状に形成されている。基台２内の水は、ポンプ１によって基台２内から本体部３の上部に汲み上げられ、本体部３と基台２内で循環する。この実施形態の場合、水は、香料を含有している。香料は、例えば柑橘系やハーブ類など、周知の芳香剤で良い。
【００１３】
上記の本体部３は、透光材としての例えば透光性のアクリル樹脂材で、この実施形態では円筒形に形成されている。本体部３は、図１、図４、図５等に示されるように、揚水管３１を軸芯位置に垂直に備えた円筒３ａと、揚水管３１に外装状にパイプ３２が嵌め挿されて円筒３ａに連通状に接続されるキャップ部３ｂとで形成されている。
【００１４】
キャップ部３ｂは、本体部３と美感が共通するよう、同じ材料で形成されている。またこのキャップ部３ｂは、パイプ３２の下部内周面の所定位置が揚水管３１の下部外周面の所定位置に螺合され、キャップ部３ｂが、例えば反時計方向に回されると、本体部３の揚水管３１に案内されてパイプ３２と、後述する導水部材５とが一緒に上昇し、時計方向に回されると、一緒に下降するよう、上下動自在に形成されている。６（図５参照）は、揚水管３１とパイプ３２の螺合部を示す。本体部３は、キャップ部３ｂが上昇して下面の閉塞板３３（図５等参照）と、円筒３ａの上端との間に隙間ができることにより、外部と連通してエアーの流出入が可能になるものである。
【００１５】
導水部材５は、図１等に示されるように、流下する水を二手に分岐して流すためのものであり、透光性の、例えば樹脂材で略菱形状に形成されている。またこの導水部材５は、この実施形態では縦方向に２個連通状に接続され、揚水管３１の周りに１２０度づつあけられて設けられている。上段の導水部材５は、図４に示されるように、キャップ部３ｂの下面を閉塞する閉塞板３３に、キャップ部３ｂ内と連通状に取り付けられている。閉塞板３３には、図５に示されるように、導水部材５の上端の水流入口５１（図６等参照）を接続するための孔３４が形成されている。
【００１６】
また導水部材５は、図６〜図９等に示されるように、二股状の上部通水路５ａに、開口部５２が、この実施形態では縦孔状に形成されている。また導水部材５は、上部通水路５ａと連通する逆二股状（上方に二股状に開いている状態）の下部通水路５ｂ内に、流下する水を衝突させるための突き出し片５３が設けられている。開口部５２と突き出し片５３とは、導水部材５を、略菱形状を呈する正面から見て、夫々左右に２個づつ備え、左右対称状に形成されている。
【００１７】
７（図２参照）は、光線を上方に照射する光源としての発光ダイオードである。この光源７は、この実施形態では図１１に示されるように、ホルダー８の収納部８ａに収納され、揚水管３１の周りに６０度づつあけられて計６個、設けられている。また光源７は、発光色が異なるよう、例えば赤色、緑色、黄色等に発光する発光ダイオードで構成されている。
【００１８】
次にこの実施形態に係る本発明品の作用を説明する。
先ず使用者は、キャップ部３ｂを反時計方向に回す。これにより、キャップ部３ｂが、揚水管３１に案内されて上昇し、円筒３ａの上端とキャップ部３ｂの閉塞板３３との間が開いて本体部３内が外部と連通する。この場合、使用者は、キャップ部３ｂを正逆方向に回すことでエアーの流出入量を適宜調節する。
【００１９】
次にこの状態で使用者は、ポンプ１のスイッチを入れる。すると、ポンプ１により基台２内の水が揚水管３１を介して汲み上げられ、揚水管３１の上端からキャップ部３ｂ内に溢れ出る。この水は、キャップ部３ｂから上段の導水部材５内に流入して二手に分かれ、導水部材５の上部通水路５ａで外側に広がり、下部通水路５ｂで内側にすぼまるように向きを変え、次いで下段の導水部材５内に流入して同様に流れ、蛇行状に流下する。
【００２０】
本発明品は、このような水の流れを、透光性の本体部３を介して外から見ることができる。また流下する水は、突き出し片５３で流れが変化し、その際にせせらぎのような音が発生したり、飛沫化してマイナスイオンが大量に発生する。また香料の成分と空気との接触、混合度合が高められ、香りの発散が促進される。そしてマイナスイオンや香り、及びせせらぎ音などは、円筒３ａの上端とキャップ部３ｂとの隙間から外に流れ出て室内に発散する。
【００２１】
またこの実施形態に係る本発明品は、光源７を点灯すると、赤色や緑色等の光線が水の流れを映し出す。従ってこれによると、流下する水が、赤色や緑色等にライトアップされ、幻想的、神秘的な雰囲気を醸し出す。
【００２２】
以上の処において、本発明品の場合、本体部３は、例えば直接外部と連通する開口箇所を備えて形成されているのでも良い。また導水部材５は、略菱形状に形成されているのであれば、その高さや、股の角度などは任意である。また導水部材５は、本体部３の周りから見易い状態に本体部３内に収納されているのであれば良く、本体部３の軸芯周りに配置される場合には限られない。
また本発明品は、導水部材５が、図１２に示されるように、縦方向に多数連通状に接続され、例えば床に置いて観賞できるよう形成されているのでも良い。
【図面の簡単な説明】
【００２３】
【図１】本発明装置の好適な一実施形態を示す一部を切欠した要部正面図である。
【図２】同上装置の一部を切欠した分解正面図である。
【図３】同上装置の斜視図である。
【図４】本体部の分解正面図である。
【図５】Ａは本体部の要部縦断面図、Ｂはキャップ部の作用を説明するための要部縦断面図である。
【図６】導水部材の平面図である。
【図７】導水部材の正面図である。
【図８】図６のＶＩＩＩ−ＶＩＩＩ線における断面図である。
【図９】図７のＩＸ−ＩＸ線における断面図である。
【図１０】Ａはモータの収納ユニットの平面図、Ｂは要部縦断面図である。
【図１１】Ａは光源の収納ユニットの平面図、ＢはＡのＢ−Ｂ線断面図である。
【図１２】他の実施形態を示す一部を切欠した要部正面図である。
【符号の説明】
【００２４】
１      ポンプ
２      基台
３      本体部
５      導水部材
５ａ    上部通水路
５ｂ    下部通水路
５２    開口部
５３    突き出し片
【図１】
2008023499.tif 000003
【図２】
2008023499.tif 000004
【図３】
2008023499.tif 000005
【図４】
2008023499.tif 000006
【図５】
2008023499.tif 000007
【図６】
2008023499.tif 000008
【図７】
2008023499.tif 000009
【図８】
2008023499.tif 000010
【図９】
2008023499.tif 000011
【図１０】
2008023499.tif 000012
【図１１】
2008023499.tif 000013
【図１２】
2008023499.tif 000014